(57)【要約】【課題】試料の出し入れが面倒で、コンタミネーションの発生を阻止するための作業が多く、非常に多くの労力を必要とする。【解決手段】試料液体の表面張力によって液膜を形成する液膜形成手段と、前記液膜形成手段により形成された液膜に対し光を投光する投光手段と、投光された光量の液膜による光吸収量を測定する光吸収量測定器を備えたものである。  上記液膜形成手段としては、比較的小形な環状枠体が代表的に挙げられるが、外にも容器を分断可能に構成した容器であって表面張力を作用させつつ分断させることによって両分断間に液膜を形成させる形成手段を挙げることができる。【選択図】    図１
2011112597.tif 000002
【特許請求の範囲】
【請求項１】
試料液体の表面張力によって液膜を形成し、前記液膜の両面が気体と接する液膜形成手段と、この液膜形成手段により形成された液膜に対して投光する手段と投光された光量の液膜による光吸収量を測定する吸収光量測定器を備えたことを特徴とする光吸収分析装置。
【請求項２】
液膜形成手段が環状の枠体で構成されていることを特徴とする請求項１記載の光吸収分析装置。
【請求項３】
環状の枠体が筒状体であることを特徴とする請求項２記載の光吸収分析装置。
【請求項４】
筒状体が円筒体であることを特徴とする請求項２記載の光吸収分析装置。
【請求項５】
環状の枠体に孔が穿設された開孔板であることを特徴とする請求項２記載の光吸収分析装置。
【請求項６】
試料液が収容可能であり、且つ容器が分断可能に構成された容器であって表面張力を作用させつつ分断させることによって両分断容器間に液膜を形成させる液膜形成手段と、前記液膜に対して投光し投光による液膜の光吸収量を測定する手段を備えたことを特徴とする請求項１記載の光吸収分析装置。
【発明の詳細な説明】
【技術分野】
【０００１】
本発明は、液体の試料に光を透過させ、試料による光の吸収量から試料の成分を測定する光吸収分析装置（たとえば分光計）に関する。
【背景技術】
【０００２】
従来におけるこの種の測定では微量の試料液に光を透過させ、その光吸収量から試料の成分を測定する。具体的には、二枚の光透過ウインドウの間にスペーサを挟み、その間に液体試料を入れてセル（水平方向に走る光軸に対し垂直に配置した容器）を測定している（特許文献１参照）。
たとえば、水平方向でなく、垂直方向に光を透過させて測る先行例としては、セルのウインドウを一枚だけ水平に保持してその上に液体試料を載置させる方法等が採用されている（特許文献１参照）。さらにはセルを２枚のガラス板を対向配置して試料セルを構成する方式も採用されている（特許文献２参照）。
【先行技術文献】
【特許文献】
【０００３】
【特許文献１】特開２００４−３５４３４２号公報
【特許文献２】特開２００７−３３３５号公報
【発明の概要】
【発明が解決しようとする課題】
【０００４】
上記従来から使用されている一般のセルの構造では、試料の出し入れが面倒で特に、多くの試料を測定する場合、コンタミネーションの発生を阻止するために念入りな洗浄が必要で、非常に多くの労力を必要とする。セルを利用する方法では薄い膜状態の液膜を形成することは非常に困難である。
【課題を解決するための手段】
【０００５】
本発明が提供する光吸収分析装置は、上記課題を解決するために、試料液体の表面張力によって液膜を形成する液膜形成手段と、この液膜形成手段に形成された液膜に投光させる投光手段と、投光による液膜の光吸収量を測定する光吸収量測定手段を備えたもので液膜の両面が気体と接することを特徴とするものである。この現象は換言すれば液膜が空間を部分的に仕切るものである。
【０００６】
特に本発明が提供する光吸収分析装置における液膜形成手段は、容器に収容された試料液体を浸漬後静かに容器から離脱させるとき、試料液体の表面張力にて液膜を形成するもので、環状の枠体が構成の主体となる。そして環状の枠体には１枚の液膜が形成され、かつ液膜の両面が気体に接しているものである。
【０００７】
環状枠体としては、筒状体の形式を採用するものである。筒の断面形状は円形のみならず矩形、四角等種々の形が含まれる。
【０００８】
さらに、本発明が提供する光吸収分析装置に主要な構成要素である液膜形成手段としての環状枠体は、開孔板で構成することができる。
さらに環状枠体としては、第一にリング状の枠体を挙げることができる。リング状の枠体は針金でもよく、あるいは針金より断面が大きい枠材とすることもできる。
さらに本発明が提供する光吸収分析装置における環状の枠体として、円筒体を挙げることができる。円筒体としては中空のパイプあるいは鼓状の円筒体を挙げることができる。
さらには、円孔や多角形の孔が穿設された開孔板とすることもできる。
【０００９】
さらに本発明が提供する光吸収分析装置としての液膜形成手段は浅い容器に試料液体を充墳し、その状態から試料液体の表面張力を生起させつつ容器を静かに分断させて分断間に液膜を形成させるもので分断形容器が構成の主体となるものである。
【００１０】
本発明が提供する光吸収分析装置は特に光吸収量測定手段に特徴を有するもので、すなわちこの光吸収測定は原理的には液膜形成手段と投光器と受光測定器との組み合わせにて構成されるものだからである。この場合液膜形成手段を手動形のハンドタイプとして構成することもできる。また、本発明の光吸収分析装置は、本発明における液膜形成手段を採用することで構成も簡略化できるとともに液膜も薄く測定が精度良く行われる。前記枠体を一体的に光吸収量測定器に組み込むこともできる。この光吸収量の測定手段は、光吸収分析装置においては液膜形成手段と一体的に結合させることもできる。
【発明の効果】
【００１１】
リング状の枠体を利用する光吸収分析装置の場合は、リング状の枠体を測定する試料の液中に浸漬させ、ゆっくり引き上げるだけで、薄液膜が容易に形成でき、しかも用具の構成が簡単で経済的にも有利である。しかもリング状の枠体は多量生産でき、洗浄も容易でコンタミネーションの問題が解決できる。リング状の枠体以外の液膜形成手段による測定も測定の容易化が図られる。しかも従来例のごとくガラスプレートを使用するセルなどは不要となりシンプルな構成で且つ測定操作が容易である。
【図面の簡単な説明】
【００１２】
【図１】本発明が提供する光吸収分析用のための試料液膜形成器に試料液体による液膜が形成された状態を斜視的に示す図である。
【図２】本発明が提供する光吸収分析用のための試料液膜形成器と光吸収量測定器との組合せを斜視的に示す図である。
【図３】本発明が提供する光吸収分析装置の試料液膜形成器を斜視的に示す図である。
【図４】本発明が提供する光吸収分析用の試料液膜形成器で試料液膜形成器としてのリングが揺動可変形の例を示す図である。
【図５】本発明における光吸収分析用の試料液膜形成器が揺動可変形の構成と作動を示す図である。
【図６】本発明が提供する光吸収分析装置の構成を概略的に示す図である。
【図７】本発明が提供する試料液膜形成器として円筒体を採用する実施例を示す図である。
【図８】本発明が提供する試料液膜形成器用の円筒体の端面を液膜の形成が容易になる加工を施した例を示す図である。
【図９】本発明が提供する試料液収容容器と液膜の光吸収量測定器の両者を組み合わせた全体を示す図である。
【図１０】本発明が提供する試料液膜形成手段として円孔板を利用する光吸収分析装置の構成を示す図である。
【図１１】本発明が提供する容器分断式の液膜形成手段による光吸収分析装置の構成を示す図である。
【図１２】本発明が提供する容器分断式の液膜形成手段による光吸収分析装置の構成を示す縦断面図である。
【図１３】本発明が提供する容器分断式の光吸収分析装置の変形例を示す図である。
【図１４】本発明が提供する容器分断式の光吸収分析装置の他の変形例を示す図である。
【発明を実施するための形態】
【００１３】
本発明は、従来の試料液セルを利用する方式を採用せず、液体の表面張力により液膜を枠体に形成させ、環状枠体に形成された液膜はその両面に気体が接している。本発明はこの液膜による光吸収分析を行なわせる測定装置を、光吸収分析装置として提供するものである。
試料液膜形成手段については、第一に環状の枠体を挙げることができる。この環状の枠体は構成がきわめて簡略であり、且つ扱いや液膜の形成も容易である。しかも光吸収分析装置に組み込むことも容易である。この環状の枠体については具体的にはリング状枠体と円筒体を挙げることができる。
円筒体の枠体は、円筒軸方光に一定の長さを有し外乱光を避け得る効果があり、また光吸収分析装置に組み込むことも可能である。
さらに本発明が第二に提供する液膜形成手段は、試料液を収容する容器を二分割形にした容器を採用し液体の表面張力を作用させつつ容器を静かに二分させ液膜を形成する二分断式試料容器方式を提供する。この二分断式試料容器方式では、広域の液膜を形成でき、測定精度を高めることができる。本発明はこれら各種の液膜形成装置を提供する。
【実施例１】
【００１４】
本発明が提供する光吸収分析装置としての液膜形成手段は上記のとおりであり、各実施例について以下図面に従って説明する。
図１は、試料液膜形成の基本となる試料液膜形成器１Ｂを示す図でたとえば図６等に示される光吸収分析装置ＳＭの主要な構成要素として構成に組み込まれるものである。まず試料液膜形成器１Ｂは、支持棒１Ｈの下端にリング１Ｒが付設されたもので、支持棒１Ｈの他端には把持具１Ｓが取付けられ、液膜の形成の容易化が図られている。
【００１５】
このリング１Ｒに試料液膜を形成する場合は、図１に示されているとおり試料液収容容器ＳＢ、あるいは薄皿等（図示せず）における試料液Ｌにリング１Ｒを浸漬させる。その後ゆっくりと引き上げることで、表面張力を発生させつつ、リング１Ｒに試料液の液膜ＬＭを形成させるものである。なお、本発明においては、リング１Ｒの形状は円形状に限定されるものではなく、矩形状、三角形などの細い枠体からなる環状体、あるいは一定の断面積を有する枠体等で構成されるものである。これらの構成からなるものであっても、液膜の両面は気体に接しているものである。
【００１６】
図２は試料液膜形成器１Ｂにおける液膜ＬＭに対して光吸収量の測定を手動式光吸収量測定器ＭＡにて手動式に測定している例を斜視的に示しているが、手動式の場合は、手動式光吸収量測定器ＭＡを利用し、図２に示すとおり、測定するに際して、リング１Ｒに形成された液膜ＬＭを両側から挟み測定する。もちろん手動式光吸収量測定器ＭＡの構造が異なる場合は別である。光吸収量測定の手動式光吸収量測定器ＭＡには、上方に発光器ＬＳが設置され、下方には光吸収量を測定する検出器ＬＤが設置されている。
【００１７】
図３から図５は、試料液膜形成器１ＢをブロックＢと一体的にしたもので、ブロックＢは磁力にて固定部に吸着できる形式に構成され、図１の実施例に示すハンド形と異なり、試料液膜形成器１Ｂを、光吸収分析装置ＳＭに着脱可能に設置できる形式のものである。リング１Ｒを光吸収分析装置ＳＭに取付けるときはブロックＢが付設手段となる。このブロックＢは磁性材料で形成することにより、光吸収分析装置ＳＭにおける鉄材や磁性部材に容易に吸着そして離脱できる。ただし、光吸収分析装置ＳＭは上記のとおり磁性部材を有する構成に限定されるものではない。
【００１８】
図４と図５に示す試料液膜形成器はリング１Ｒが揺動する揺動式試料液膜形成器１ＢＫで後述のとおり光吸収量測定を容易にする。図４のリング１Ｒは、支軸ＳＳに支持され、リング１ＲとブロックＢが揺動可能に構成されている。図５の例も同様であるが、リング１ＲがブロックＢに近接され、手動式光吸収量測定器ＭＡ（図２）の測定位置に容易に取付け可能に構成され、したがって前記光吸収分析装置ＳＭにおいても取付け可能である。図４と図５に示す揺動式試料液膜形成器１ＢＫに付設されたブロックＢを介して後述する図６に示す光吸収分析装置ＳＭの保持枠ＵＤに着脱可能に取付けることができる。
【００１９】
したがって、図６に示す光吸収分析装置ＳＭにおいては、保持枠ＵＤの上下動により試料液収容容器ＳＢに充填されている試料液に対して、進退し、浸漬した後静かに引き上げることで、液膜ＬＭが自動的に形成される。しかも形成された液膜ＬＭが引き上げられるとき揺動式試料液膜形成器１ＢＫはそのまま引き上げられる。リング１Ｒを揺動させることで、発光器ＬＳと検出器ＬＤとの光軸上に液膜ＬＭを介在させることができ、その時点で光吸収量の測定が行われる。なおこの実施例においても揺動式試料液膜形成器１ＢＫの枠体の形状は円形に限定されない。
【００２０】
図６は、以上説明した図３〜図５に示す実施例の各試料液膜形成器１Ｂ、１ＢＫを取付けることによって測定が行われる光吸収分析装置ＳＭを示している。この光吸収分析装置ＳＭもネジ送り機構ＮＫで上下動する保持枠ＵＤにて試料液膜形成器１Ｂを上下動させ、その過程で試料液膜形成器１Ｂに試料液膜を自動的に形成させ、かつ上下動にて光吸収量測定位置に試料液膜を位置させる機構を備えたものである。
【００２１】
すなわち、保持枠ＵＤに取付けられたアームＡの先端に試料液膜形成器１Ｂが取付けられ、ネジ送り機構ＮＫで保持枠ＵＤが上下動すると、試料液膜形成器１Ｂが試料液収容容器ＳＢに浸漬され、静かに引き上げられることで試料液膜形成器１Ｂに試料の液膜ＬＭが形成され、さらに保持枠ＵＤが上方に移動すると、光吸収量測定の位置に至って光吸収量測定が行われる。Ｍは保持枠ＵＤの上下駆動用のモータである。
【００２２】
上記のとおり光吸収分析装置ＳＭは、試料液収容容器ＳＢに試料液膜形成器１Ｂを自動的に浸漬させ、そして引き上げも自動的に行われる例を示している。
光吸収分析装置ＳＭは、図６に示すとおり、試料液収容容器ＳＢのみならず、試料液膜形成器１Ｂについてその取付け用のブロックＢを介して保持枠ＵＤに取付けられる。
【００２３】
したがって、試料液収容容器ＳＢに対して試料液膜形成器１Ｂが自動的に浸漬され、試料液の液膜が形成される。
しかも、液膜ＬＭが自動的に引き上げられると、発光器ＬＳと検出器ＬＤとの光軸上に液膜ＬＭが自動的に介在され、その時点で測定が行われる。なお、光吸収分析装置ＳＭにおいて、保持枠ＵＤはモータＭにて正逆回転されるネジ送り機構ＮＫの正逆回転にて上下動され、保持枠ＵＤにアームＡを介して設置された試料液膜形成器１Ｂの液膜ＬＭが自動的に形成される。
【００２４】
本発明が提供する光吸収分析装置ＳＭにおける第一の実施例においては、さらに図４に示す実施例を挙げることができる。すなわち、リング１Ｒが、支持棒１Ｈに対して支軸ＳＳを中心に回転（曲折を含む）または揺動可能にできる実施例を示すものである。したがって、揺動式試料液膜形成器１ＢＫの設置位置によっては、リング１Ｒを揺動させることにより、揺動式試料液膜形成器１ＢＫを光軸上に容易に設定できる。
【実施例２】
【００２５】
本発明が提供する第２の実施例は、試料液膜の形成を円筒体Ｔで形成する方式の実施例である。図７、図８はこの円筒体方式の実施例を斜視的に示す実施例で、Ｕは円筒体Ｔを測定装置に取付ける取付けアームを示している。
この第２の実施例を示す図８は、試料液中に浸漬される円筒体Ｔの端面ＴＦに特殊加工が施された例を示している。図示例では多数の凹凸加工が施され、液膜形成を良好ならしめた例である。もちろん本発明は前記特殊加工を条件とするものではない。
【００２６】
本発明が提供する第２の実施例は上記のとおり円筒体Ｔを利用する試料液膜形成手段であるが、図９はこの円筒体Ｔを光吸収分析装置ＳＭに設置した例を示している。光吸収分析装置ＳＭは、台Ｄ上に試料液収容容器ＳＢが載置されその上方部位に円筒体Ｔが取付けアームＵを介して設置されている。取付けアームＵはネジ送り機構ＮＫに螺合されモータＭの回転にて昇降する保持枠ＵＤに支持されている。
【００２７】
光吸収量測定器ＭＤは矢印方向に移動する台で、左方位置に変位したとき円筒体Ｔが変移可能となる。この状態において、モータＭを作動させてネジ送り機構ＮＫを回転させると、円筒体Ｔを保持する取付けアームＵの保持枠ＵＤがネジ送り機構ＮＫの回転によるネジ送り機構の原理で上下動作する。したがって下方変移するとき円筒体Ｔが降下して、その下端面が試料液収容容器ＳＢの試料液中に浸漬し、その後静かに、モータＭを逆転させて、円筒体Ｔを静かに上昇させると、円筒体Ｔの下端面に液膜ＬＭ（図示せず）が形成される。
【００２８】
そして、円筒体Ｔが図示の位置に上昇したとき、光吸収量測定器ＭＤを右方に変移させて図示した状態を再現する。この状態における光吸収分析装置ＳＭにおいては、発光器ＬＳからの光が検出器ＬＤに投光され、液膜による光吸収量が測定される。なお、本発明においては、円筒体Ｔのみならず、三角形の筒状体であってもよく、円筒体に限定されない。
【実施例３】
【００２９】
本発明が提供する第３の実施例は、図１０に示すとおり開孔板Ｐによる試料液の液膜ＬＭを形成する方式の光吸収分析装置ＳＭである。図においてＫは可動枠ＫＷを上下動させる駆動機で可動枠ＫＷの左方端には、吊杆ＬＲを介して開孔板Ｐが吊持されている。したがって、可動枠ＫＷの上下動で開孔板Ｐに穿設された円孔Ｈが試料液収容容器ＳＢに浸漬され、その後上方へ静かに持ち上げられると、この作動過程で開孔板Ｐの円孔Ｈに液膜ＬＭが形成される。開孔板Ｐにおける穿孔の形状は円のみならず三角、四角であっても良い。
【００３０】
この開孔板Ｐが上昇すると、円孔Ｈに対してアームＡに設置された発光器ＬＳからの光が照射され、検出器（図示していない）が発光器と対向される位置に設置されていて光吸収量測定が行われる。上記のとおり本発明が提供する第３の実施例は、円孔（または丸孔）が穿設された板を試料液ＳＬに浸漬することで液膜を形成する点に特徴を有するものである。
【実施例４】
【００３１】
本発明が第４に提供する光吸収分析装置ＳＭは試料液を収容した容器をその中心ラインで分断できる構成とし試料液体の表面張力を生起させつつ容器をゆっくり分断させ、その間隔を拡張させることによって試料液の液膜を形成する容器分断方式による光吸収分析装置ＳＭを提供するものである。この容器分断方式については、次の２個の実施例を挙げることができる。
すなわち、第一の分断方式は、分断面が互いに並行な状態で分断される方式のものであり、第二の分断方式は、分断面が円弧状すなわち扇の開閉形式で拡縮する方式の例である。
【００３２】
図１１は上記第４に提供する実施例（第一の分断方式）を斜視的に示している。試料液ＳＬを収容する容器ＦＢは、容器断面がＬ字型の容器片Ｋ１、Ｋ２を組み合わせることにより構成されるもので、図１１に示す状態は両容器片Ｋ１、Ｋ２を合致させ容器ＦＢを形成して試料液ＳＬを収容している状態を示している。この状態から両方の容器片Ｋ１、Ｋ２を分断させると図１２に示すとおり、それぞれの容器片Ｋ１、Ｋ２間に試料液ＳＬの液膜ＬＭが形成される。
【００３３】
つぎに、上記の分断作動についての分断駆動機構ＳＫを図１１、図１２において説明する。
この分断駆動機構ＳＫは両側のＬ字型の容器片Ｋ１とＫ２に貫設された２本のネジＮ１、Ｎ２とこの各ネジＮ１、Ｎ２の端部に取付けられ互いに噛み合う歯車Ｇが取付けられている。さらにネジＮ１の端部には、ネジＮ１を回転駆動させるためのハンドルＨＲが取付けられている。なお両ネジＮ１、Ｎ２のネジ方向は逆向きに設定されていて、互いに逆方向に正逆回転されこの回転にて両容器片Ｋ１とＫ２の間隔が拡縮する構成となっている。両ネジＮ１、Ｎ２のネジ方向を逆向きに設定しないで、図示の両方の歯車の間に、中間歯車を介在させても同様の機構の構成が可能である。図１２に示されるＬＫは発光器でありＫＬは光吸収量測定器を示している。
【００３４】
図１１は両Ｌ字型の容器片Ｋ１とＫ２が互いに接して容器ＦＢを形成している状態であり、試料液ＳＬが供給パイプＫＰから流入されている。そしてハンドルＨＲを静かに操作して両Ｌ字型の容器片Ｋ１、Ｋ２を互いに平行状態で分断離反させると、図１２に示す状態となり両Ｌ字型の容器片Ｋ１とＫ２との間に試料液ＳＬの表面張力による液膜ＬＭが形成される。この液膜ＬＭに対して投光することによって光吸収分析を行うことができる。
【００３５】
つぎに第二の分断方式の構成を図１３、図１４に従って説明する。図１４に示す実施例は、両Ｌ字型の容器片Ｋ１、Ｋ２を円弧状に分断していく過程で表面張力による作用を働かせ試料液膜を形成させる実施例である。この場合の円弧状の分断駆動機構ＥＫも、ナットＮＴとネジＮ３の協働によるネジ送り機構を採用するが、間隔を離反させるために支点棒Ｑを両Ｌ字型の容器片Ｋ１、Ｋ２間に介在させたものである。すなわちネジＮ３は両Ｌ字型容器片Ｋ１、Ｋ２を貫設しており、その両外側にナットＮＴがねじ込まれていてネジＮ３がハンドルＨＲの操作により回転して両ナットＮＴが互いに近接されると支点棒Ｑの両端を中心に両Ｌ字型容器片Ｋ１、Ｋ２が図１４に示すごとく扇状に分断拡張される。
【００３６】
なお図１３において、ＫＰは試料を供給する供給パイプ、ＹＫは収容容器を構成する壁枠、ＳＴは受器の底で柔軟性材で構成されている。壁枠ＹＫの両端にＬ字型の容器片Ｋ１、Ｋ２の軸枠Ｍ１、Ｍ２の中心軸Ｓ１、Ｓ２を構成している。したがって中心軸Ｓ１、Ｓ２を中心にＬ字型の容器片Ｋ１、Ｋ２が回動（揺動）可能に構成されている。軸枠Ｍ１、Ｍ２は柔軟な容器底面に配設されていてＬ字型容器片Ｋ１、Ｋ２が拡縮するとき互いに近接、離反する。ＤＬは分断ラインである。
【００３７】
この容器分断方式により得られた液膜は円弧の外周になるにしたがって液膜が薄く、液膜厚さが異なる液膜を作成でき必要とする液膜厚さでの分析が可能となる。
【００３８】
したがって、両Ｌ字型の容器片Ｋ１、Ｋ２についてハンドルＨＲを回転させることにより両Ｌ字型の容器片Ｋ１、Ｋ２が回転扉式に拡張される。この拡張によって両Ｌ字型容器片Ｋ１、Ｋ２間には試料液ＳＬの表面張力による液膜ＬＭが形成される。
【００３９】
ＬＰは両Ｌ字型の容器片Ｋ１、Ｋ２の先端間に掛け渡されたロープで液膜の形成をより確実にするために設けられたものである。分断駆動機構ＥＫをネジ送り方式で行う実施例を提示したが、手動で締め付けネジを調整しながら分断量を調整する手動式の機構とすることも可能である。容器片Ｋ１、Ｋ２の形も図示例のように長細い形でなく、円形に近い形とすることもできる。上記分断方式の液膜形成機による液膜も両面が気体に接しているものであり、光吸収量測定が可能である。
【産業上の利用可能性】
【００４０】
液体試料を分光光度計にて測定して試料の分析を行なう場合、光を透過させ光の吸収量を測定する方式が採用されているが、本発明はその測定技術に利用可能である。
【符号の説明】
【００４１】
１Ｂ  試料液膜形成器
１ＢＫ  揺動式試料液膜形成器
１Ｈ  支持棒
１Ｒ  リング
１Ｓ  把持具
Ａ  アーム
Ｂ  ブロック
Ｄ  台
ＤＬ  分断ライン
ＥＫ  分断駆動機構
ＦＢ  容器
Ｇ  歯車
Ｈ  円孔
ＨＲ  ハンドル
Ｋ  駆動機
Ｋ１  容器片
Ｋ２  容器片
ＫＬ  光吸収量測定器
ＫＰ  供給パイプ
ＫＷ  可動枠
Ｌ、ＳＬ  試料液
ＬＤ  検出器
ＬＫ、ＬＳ  発光器
ＬＭ  液膜
ＬＰ  ロープ
ＬＲ  吊杆
Ｍ  モータ
Ｍ１、Ｍ２  軸枠
ＭＡ  手動式光吸収量測定器
ＭＤ  光吸収量測定器
Ｎ１、Ｎ２、Ｎ３  ネジ
ＮＫ  ネジ送り機構
ＮＴ  ナット
Ｐ  開孔板
Ｑ  支点棒
ＳＢ  試料液収容容器
ＳＫ  分断駆動機構
ＳＭ  光吸収分析装置
ＳＳ  支軸
ＳＴ  底
Ｔ  円筒体
ＴＦ  端面
Ｕ  取付けアーム
ＵＤ  保持枠
ＹＫ  壁枠
【図１】
2011112597.tif 000003
【図２】
2011112597.tif 000004
【図３】
2011112597.tif 000005
【図４】
2011112597.tif 000006
【図５】
2011112597.tif 000007
【図６】
2011112597.tif 000008
【図７】
2011112597.tif 000009
【図８】
2011112597.tif 000010
【図９】
2011112597.tif 000011
【図１０】
2011112597.tif 000012
【図１１】
2011112597.tif 000013
【図１２】
2011112597.tif 000014
【図１３】
2011112597.tif 000015
【図１４】
2011112597.tif 000016